(57)【要約】【課題】安全フレームのガタ取りのための締付ボルトを比較的軽い力で操作することができ、かつ該締付ボルト及びその緩み止めのためのロックナットの位置合わせを容易にする。【解決手段】支持ブラケット４２に固定したボス４５にピン４６を嵌挿し、該ピン４６に形成した六角孔４９ａ（締付孔）を、締付ボルト３９及びロックナット４１のいずれか一方を選択して係合し、ピン４６に設けたハンドル５２を回転することで締付ボルト３９及びロックナット４１のいずれか一方を操作する。【選択図】図５
2014113872.tif 000002
【特許請求の範囲】
【請求項１】
走行機体に固定された支持部材と、該支持部材に折り畳み自在に支持される安全フレームと、を備え、前記支持部材に係合される締付ボルトの先端を前記安全フレームに押圧し、該締付ボルトをロックナットにより固定する作業車輌において、
前記支持部材に設けられ、かつ前記締付ボルト及びロックナットと同軸上に配置されるボスと、
該ボスに嵌挿し、かつ前記締付ボルトの頭部及び前記ロックナットに係合し得る締付孔を有するピンと、
前記ピンに取付けられたハンドルと、を備え、
前記締付ボルト及びロックナットのいずれか一方に前記締付孔を選択して係合し、前記ハンドルを回転することで前記締付ボルト及びロックナットのいずれか一方を操作する、
ことを特徴とする作業車輌。
【請求項２】
前記ピンは、断面コ字状に折曲形成されたコ字状プレートと、
該コ字状プレートの折曲部の先端に固定された前記締付孔を有する締付プレートと、
前記コ字状プレートの中間部に一体に固定されたシャフト部と、を備える、
請求項１記載の作業車輌。
【請求項３】
前記ピンは、円筒状に形成される円筒部材と、
該円筒部材の先端に固定された前記締付孔を有する締付プレートと、
前記円筒部材の底面部に一体に固定されたシャフト部と、を備える、
請求項１記載の作業車輌。
【発明の詳細な説明】
【技術分野】
【０００１】
本発明は、トラクタ等の作業車輌に係り、詳しくは、走行機体から立設する安全フレームの支持構造に関する。
【背景技術】
【０００２】
従来、トラクタなどの作業車輌では、機体転倒時の作業者の安全を確保するため、走行機体から安全フレームを立設したものが知られている。該安全フレームは、機体格納時や果樹園な作業時に邪魔になる可能性があるので、走行機体に折りたたみ可能に支持されており、走行振動等による安全フレームのガタつきを取り除くために、押しボルトによって安全フレームを押圧するものが提案されている（特許文献１参照）。
【０００３】
この種の作業車輌は、例えば図１２に示すように、機体フレーム１にブラケット２を固設し、該ブラケット２に、安全フレーム３が前後に回動自在に構成されて折り畳み自在になっている。該ブラケット２を貫通するノブボルト５が、安全フレーム３を押圧して安全フレーム３のガタ取りをしており、ロックナット６及び大径ナット７によって、ノブボルト５の緩み止めがなされている。該ノブボルト５の軸部分には六角孔８ａを有するロックプレート８が遊嵌されており、該ロックプレート８によって他に工具を使用することなくロックナット６が締付けられるようになっている。
【先行技術文献】
【特許文献】
【０００４】
【特許文献１】実開平６−７５８３７号公報
【発明の概要】
【発明が解決しようとする課題】
【０００５】
しかしながら、上記特許文献１のものは、押しボルトの頭部が小径で、ボルトナットを締め付ける際に、大きな力が必要であるという問題があった。また、図１２に記載のものは、ロックプレート８がノブボルト５に遊嵌されているだけなので、ロックプレート８でノブボルト５を操作する際に、ロックプレート８をノブボルト５に位置合わせする作業が面倒であるという問題があった。
【０００６】
そこで、本発明は、締付ボルトとロックナットの双方に係合し得るピンによって、これら締付ボルト又はロックナットを択一的に操作して、もって上述した課題を解決する作業車輌を提供することを目的とする。
【課題を解決するための手段】
【０００７】
本発明は、走行機体に固定された支持部材（２７，４２）と、該支持部材（２７，４２）に折り畳み自在に支持される安全フレーム（２２）と、を備え、前記支持部材（２７，４２）に係合される締付ボルト（３９）の先端を前記安全フレーム（２２）に押圧し、該締付ボルト（３９）をロックナット（４１）により固定する作業車輌（１０）において、
前記支持部材（２７，４２）に設けられ、かつ前記締付ボルト（３９）及びロックナット（４１）と同軸上に配置されるボス（４５）と、
該ボス（４５）に嵌挿し、かつ前記締付ボルト（３９）の頭部及び前記ロックナット（４１）に係合し得る締付孔（４９ａ，６２ａ）を有するピン（４６，６０）と、
前記ピン（４６，６０）に取付けられたハンドル（５２）と、を備え、
前記締付ボルト（３９）及びロックナット（４１）のいずれか一方に前記締付孔（４９ａ，６２ａ）を選択して係合し、前記ハンドル（５２）を回転することで前記締付ボルト（３９）及びロックナット（４１）のいずれか一方を操作する、
ことを特徴とする。
【０００８】
例えば図１１を参照して、前記ピン（６０）は、断面コ字状に折曲形成されたコ字状プレート（６１）と、
該コ字状プレート（６１）の折曲部（６１ａ）の先端に固定された前記締付孔（６２ａ）を有する締付プレート（６２）と、
前記コ字状プレート（６１）の中間部（６１ｂ）に一体に固定されたシャフト部（６３）と、を備える。
【０００９】
例えば図６を参照して、前記ピン（４６）は、円筒状に形成される円筒部材（４７）と、
該円筒部材（４７）の先端に固定された前記締付孔（４９ａ）を有する締付プレート（４９）と、
前記円筒部材（４７）の底面部（４７ａ）に一体に固定されたシャフト部（５０）と、を備える。
【００１０】
なお、上述カッコ内の符号は、図面と対照するためのものであるが、何ら本発明の構成を限定するものではない。
【発明の効果】
【００１１】
請求項１に係る本発明は、ピンをボスに沿って進退させることで、ピンの締付孔を締付ボルト又はロックナットに容易に位置合わせすることができ、作業性を向上することができる。また、ピンにハンドルを取り付けたので、締付ボルト又はロックナットを軽い力で操作することができる。
【００１２】
請求項２に係る本発明は、締付ボルトの頭部をコ字状プレート内又は締付孔に収納し、該締付ボルトの頭部の位置を容易に視認することができるので、締付孔と締付ボルトの頭部とを容易に位置合わせすることができ、作業性を向上することができる。
【００１３】
請求項３に係る本発明は、ピンを円筒部材、締付プレート、及びシャフト部から構成し、堅牢な円筒部材を備えたので、強度を向上することができる。
【図面の簡単な説明】
【００１４】
【図１】本発明の実施の形態に係るトラクタを示す全体側面図。
【図２】安全フレームの支持部を示す側面図。
【図３】その斜視図。
【図４】その平面図。
【図５】そのＸ−Ｘ断面図。
【図６】締付ボルト又はロックナットに係合されるピンを示す斜視図。
【図７】ピンが締付ボルトに係合した状態を示す側面図。
【図８】ピンがロックナットに係合した状態を示す側面図。
【図９】他の実施の形態に係る安全フレームの支持部を示す側面図。
【図１０】その斜視図。
【図１１】締付ボルト又はロックナットに係合されるピンを示す斜視図。
【図１２】従来の安全フレームの支持部を示す側面図。
【発明を実施するための形態】
【００１５】
以下、図面に沿って、本発明の実施の形態について説明する。本発明を適用したトラクタ１０（作業車輌）は、図１に示すように、前輪１１及び後輪１２により支持される走行機体１３と、該走行機体１３の後部に昇降自在に連結されたロータリ耕耘装置等の作業機（不図示）と、を備え、上記走行機体１３を前進走行させながら、作業機によって耕耘作業等の各種作業を行なう。
【００１６】
上記走行機体１３は、前後方向に延びる金属製の車台１５を備えており、該車台１５の前部に取付けられて、エンジンやラジエータ等が収容されるボンネット１６と、該ボンネット１６の後方に配置される運転操作部１７と、を有している。該運転操作部１７は、作業者が着座する運転座席１９、ステアリングハンドル２０、ブレーキペダル２１、不図示のエンジンコントロールレバー、クラッチペダル等を有しており、運転操作部１７の後方には、機体転倒時の作業者の安全を確保する安全フレーム２２が上記走行機体１３から立設されている。
【００１７】
該安全フレーム２２は、背面視略冂字状に形成されており、図２ないし図５に示すように、上記走行機体１３から延設する機体フレーム２３に固設された支持部２５において、前後に折り畳み自在に構成されている。該支持部２５は、上記機体フレーム２３の上端面に取付けられる支持プレート２６と、該支持プレート２６に溶接されるブラケット２７（後述する支持ブラケット４２と共に支持部材を構成する）と、を有している。該ブラケット２７は、板状部材が平面視略コ字状に折曲形成されて、両側部２７ａと、該両側部２７ａの間の中間部２７ｂと、を有している。上記両側部２７ａには、プレート２９がボルト３０によって取付けられて、該プレート２９には、上記ブラケット２７の両側部２７ａを貫通するように回動軸３１が軸架されている。上記両側部２７ａ及び支持プレート２６に囲まれた空間には、上記安全フレーム２２の下端部が嵌挿され、該安全フレーム２２は、上記回動軸３１が貫通して、該回動軸３１を中心として、上記中間部２７ｂから上記支持プレート２６の範囲で前後回動自在となっている。
【００１８】
上記ブラケット２７の両側部２７ａには、上記回動軸３１を中心として等距離（所定距離）に３個の孔３２，３２，３２が形成されており、また、上記安全フレーム２２にも、上記回動軸３１から上記所定距離を隔てて孔２２ａが形成されている。上記安全フレーム２２を回動させることで、上記孔３２のいずれか１つと上記孔２２ａとを位置合わせして、これら孔３２，２２ａに固定ピン３３を嵌挿することで、上記安全フレーム２２の回動角が設定される。なお、上記孔３２は３個に限らず、例えばより孔の数を増やして回動角を細かく設定できるようにしてもよい。
【００１９】
上記固定ピン３３は、その一端に、該固定ピン３３よりも大径の円形プレート及び無端に固定されるＵ字状部材を有する係止部３５が取付けられ、その他端には、リング３６ａを有するピン３６が嵌挿されている。すなわち、上記固定ピン３３は、上記ピン３６が嵌挿される側（他端側）から上記孔３２及び２２ａに嵌挿され、上記係止部３５の円形プレートが上記両側部２７ａと当接するところで位置決めされて、他端に上記ピン３６が嵌挿することで抜け止めされる。上記支持プレート２６には、ボルトナット３７が固定されており、該ボルトナット３７と、上記係止部３５，リング３６ａとは、それぞれワイヤで連結されて、上記係止部３５と一体の固定ピン３３及びリング３６ａと一体のピン３６の落下が防止されている。
【００２０】
上記ブラケット２７の中間部２７ｂには、大径ナット４０が溶接されており、該大径ナット４０に螺合されると共に上記中間部２７ｂを貫通するように配置された締付ボルト３９の先端が、上記安全フレーム２２を押圧して、該安全フレーム２２のガタツキの防止が図られている。該締付ボルト３９は、上記大径ナット４０に隣接するロックナット４１が、上記大径ナット４０の方向に締め付けられることで緩みが防止されており、上記締付ボルト３９の頭部及びロックナット４１は、同寸法の断面六角形状からなっている。上記安全フレーム２２の前部には、上記締付ボルト３９，大径ナット４０，ロックナット４１を囲むようにして、上記ブラケット２７と同様に平面視略コ字状に折曲形成された支持ブラケット４２が固設されており、該支持ブラケット４２の前方側の面である中間部４２ａの上部には、切欠き４２ｂが形成されている。上記中間部４２ａの後面側には、Ｐナット４３，４３が溶接されており、上記切欠き４２ｂの位置に対応するようにボス部４５ａが配置されたボス４５が、上記Ｐナット４３，４３に螺合されるボルト４４によって中間部４２ａの前面側に取付けられている。
【００２１】
上記切欠き４２ｂ及びボス部４５ａには、ピン４６が嵌挿されており、該ピン４６は、図６に示すように、円筒状に形成される円筒部材４７と、該円筒部材４７の先端に固定された六角孔４９ａ（締付孔）を有する締付プレート４９と、上記円筒部材４７の底面部４７ａに一体に固定された棒状のシャフト部５０と、を有している。上記六角孔４９ａは、上記締付ボルト３９及びロックナット４１と係合するように寸法設定されている。上記円筒部材４７の内方の空間には、上記六角孔４９ａを通過した上記締付ボルト３９の頭部が遊嵌されており、該円筒部材４７が回転しても、上記締付ボルト３９が上記円筒部材４７の内周面に干渉しないようになっている。
【００２２】
上記シャフト部５０の前端部には、スプリングピン５１が抜け止めされて貫通しており、該スプリングピン５１に固定されたハンドル５２が、該スプリングピン５１を中心にして回動自在に構成されている。すなわち、上記ボス部４５ａに嵌挿されたピン４６は、上記締付ボルト３９及びロックナット４１と同軸上に、かつ前後方向にスライド自在に支持されており、上記締付ボルト３９及びロックナット４１のいずれか一方と上記六角孔４９ａとを係合させて、上記ハンドル５２を、上記ピン４６を回転中心として回転することで、他に工具を使用することなく、上記締付ボルト３９及びロックナット４１のいずれか一方を選択して操作することができる。該操作においては、上記ハンドル５２は、少ない力でそのトルクが大きくなるように適宜回動されて、上記締付ボルト３９又はロックナット４１を軽い力で操作することができる。
【００２３】
本実施の形態は、以上のような構成からなるので、上記安全フレーム２２を折り畳まない状態では、作業者は、該安全フレーム２２が走行振動等でガタつかないように、締付ボルト３９の先端で安全フレーム２２を押圧する。該締付ボルト３９の操作においては、まず、図７に示すように、前後方向にスライド自在に支持されたピン４６の六角孔４９ａを、締付ボルト３９の頭部に係合する。そして、ハンドル５２のトルクが大きくなるように、該ハンドル５２をピン４６の回転軸に対して直角に立てて、該ハンドル５２を回転することで締付ボルト３９を大径ナット４０に螺合して、安全フレーム２２を押圧する。次に、図８に示すように、ピン４６の六角孔４９ａを、ロックナット４１に係合し、ハンドル５２を回転してロックナット４１を大径ナット４０に締め付けて、締付ボルト３９が緩まないようにロックする。
【００２４】
このように、ピン４６は、ボス部４５ａに沿って前後方向にスライド（進退）が可能であって、ピン４６，締付ボルト３９，及びロックナット４１が同軸上に配置されているので、ピン４６の六角孔４９ａの位置合わせが容易で、作業性を向上することができる。また、上記ピン４６は、堅牢な円筒部材４７を備えており、強度を向上することができる。
安全フレーム２２を折り畳む際には、作業者は、上述した締付ボルト３９及びロックナット４１の操作と逆順、すなわち、まずロックナット４１、次いで締付ボルト３９の順でこれらの緩み操作を行った後に、安全フレーム２２を折り畳む。該安全フレーム２２の折り畳み操作は、まず、ピン３６を固定ピン３３から引き抜き、固定ピン３３を孔３２から引き抜く。これら引き抜いたピン３６及び固定ピン３３は、ワイヤでボルトナット３７と連結されているため、落下及び紛失することが防止され、かつ作業者が手で持っている必要がない。そして、安全フレーム２２を、回動軸３１を中心として回動させて、適当な孔３２と孔２２ａとを位置合わせして、安全フレーム２２の回動角が決定する。該回動角で安全フレーム２２を固定するために、固定ピン３３を位置合わせした孔３２及び孔２２ａに嵌挿し、該固定ピン３３にピン３６を嵌挿する。
【００２５】
次いで、図９ないし図１１に沿って、他の実施の形態について説明するが、上述した実施の形態と重複する部分については、図に同一符号を伏して説明を省略する。本実施の形態は、先の実施の形態のピン４６を別形状にしたものである。
【００２６】
支持部２５のボス４５のボス部４５ａには、ピン６０が嵌挿されており、該ピン６０は、図９ないし図１１に示すように、断面コ字状に折曲形成されたコ字状プレート６１と、該コ字状プレート６１の折曲部６１ａ，６１ａの先端に固定された締付プレート６２と、上記コ字状プレート６１の折曲部６１ａ、６１ａの間に位置する中間部６１ｂに固定される棒状のシャフト部６３と、を有する。該シャフト部６３の前端部には、スプリングピン５１を介してハンドル５２が回動自在に取り付けられており、上記締付プレート６２は、締付ボルト３９の頭部及びロックナット４１と嵌合する六角孔６２ａ（締付孔）を有している。
【００２７】
本実施の形態は、以上のような構成からなるので、作業者は、安全フレーム２２のガタツキを防止するには、先の実施の形態と同様に、ボス部４５ａにスライド自在に支持されたピン６０を進退させて、まず、該ピン６０の六角孔６２ａを締付ボルト３９の頭部に係合する。そして、ハンドル５２を回転することで締付ボルト３９を締め付けて、安全フレーム２２を押圧する。次に、ピン６０の六角孔６２ａをロックナット４１に係合し、ハンドル５２を回転することでロックナット４１を大径ナット４０に締め付けて、締付ボルト３９の緩み止めをする。この際、ピン６０のコ字状プレート６１は、断面コ字状に折曲形成されているので、作業者は、該コ字状プレート６１内又は六角孔６２ａに収納される締付ボルト３９の頭部を視認することができ、作業性を向上することができる。
【００２８】
なお、締付ボルト，ロックナット，及び六角孔は、断面六角形状でなくてもよく、ピンの締付プレートに設けられる孔によって、締付ボルト及びロックナットを操作することができれば、どのような形状であってもよい。
【符号の説明】
【００２９】
１０    作業車輌（トラクタ）
２２    安全フレーム
２７，４２    支持部材（ブラケット，支持ブラケット）
３９    締付ボルト
４１    ロックナット
４５    ボス
４６，６０    ピン
４７    円筒部材
４７ａ    底面部
４９    締付プレート
４９ａ，６２ａ    締付孔（六角孔）
５０    シャフト部
５２    ハンドル
６１    コ字状プレート
６１ａ    折曲部
６１ｂ    中間部
６２    締付プレート
６３    シャフト部
【図１】
2014113872.tif 000003
【図２】
2014113872.tif 000004
【図３】
2014113872.tif 000005
【図４】
2014113872.tif 000006
【図５】
2014113872.tif 000007
【図６】
2014113872.tif 000008
【図７】
2014113872.tif 000009
【図８】
2014113872.tif 000010
【図９】
2014113872.tif 000011
【図１０】
2014113872.tif 000012
【図１１】
2014113872.tif 000013
【図１２】
2014113872.tif 000014